(57)【要約】【課題】  余分な撮像画像を撮像することを抑制しつつ、所望する被写体に合焦した画像を得ることのできる撮像装置。【解決手段】  まず、選択ＳＷがＯＮかＯＦＦかが判断され（Ｓ１００）、ＯＮの場合は、当該撮像が鳥瞰撮像か否かが判断され（Ｓ１０４）、否定された場合は、撮像画面内の各被写体までの距離が測定され（Ｓ１０６）、主要被写体が設定される（Ｓ１０８）。次に、前記主要被写体が、撮像画面の中央部にあるか否かが判断され（Ｓ１１０）、否定された場合は、中央部にある被写体を除いた各々の被写体に対して合焦撮像が行われ（Ｓ１１２）、撮像画面の中央部にある被写体の合焦撮像が行われる（Ｓ１１４）。一方、前記Ｓ１１０で、肯定された場合は、Ｓ１１４へ移行する。また、前記Ｓ１０４で、肯定された場合は、マクロ撮像モードであるか否かが判断され（ステップ１１６）、否定された場合はＳ１１２へ、肯定された場合はＳ１１４へ、移行する。【選択図】  図４
2006310979.tif 000002
【特許請求の範囲】
【請求項１】
被写体を撮像するための撮像レンズを含み、該撮像レンズにより被写体に合焦する合焦手段と、
前記撮像レンズにより設定される撮像画面内の複数領域の各々に対応する被写体までの距離を測定する測距手段と、
前記測距手段で測定した複数の距離に基づいて前記撮像画面内の複数領域の各々に対応する被写体の中から主要被写体を少なくとも１つ設定する設定手段と、
前記撮像画面の中央部の被写体に合焦して撮像画像を得る撮像制御を行うとともに、前記主要被写体が前記撮像画面の周辺部に設定された場合に該主要被写体に合焦して撮像画像を得る撮像制御を更に行う制御手段と、
を備えることを特徴とする撮像装置。
【請求項２】
１度の撮像指示により複数の撮像画像を得ることを指定する指定手段を更に備え、
前記制御手段は、前記指定手段で指定された場合のみ前記撮像画面の周辺部に設定された主要被写体に合焦して撮像画像を得る撮像制御を更に行うことを特徴とする請求項１記載の撮像装置。
【請求項３】
前記設定手段は、前記被写体が人物か否かを判定する判定手段を含み、
前記判定手段で人物と判定された被写体を主要被写体に設定することを特徴とする請求項１又は請求項２記載の撮像装置。
【請求項４】
当該撮像装置の姿勢を検出する検出手段を更に備え、
前記制御手段は、前記検出手段により鳥瞰撮像の姿勢として予め定めた所定角度が検出された場合にのみ前記撮像画面の周辺部の被写体に合焦して撮像画像を得る撮像制御を更に行うことを特徴とする請求項１乃至請求項３の何れか１項記載の撮像装置。
【請求項５】
マクロ撮像による撮像画像を得ることを規定する規定手段を更に備え、
前記制御手段は、前記規定手段でマクロ撮像による撮像画像を得ることが規定された場合に前記撮像制御を更に行うことを禁止する特徴とする請求項４記載の撮像装置。
【発明の詳細な説明】
【技術分野】
【０００１】
本発明は、撮像装置に係り、特に、撮像レンズにより該被写体の被写体像を撮像素子に結像する撮像装置に関する。
【背景技術】
【０００２】
デジタルカメラは、被写体に合焦した後に撮像することで、撮像画像を得る。ところが、１度の撮像時には、１度の合焦動作が一般的であり、被写体の画像は、ピントボケになる場合がある。従って、被写体が近距離から遠距離の範囲で連続又は断続的に存在し、各被写体を良好な画質で撮像することを望む場合、撮像すべき所望位置にある被写体毎に合焦して撮像するという一連のカメラ撮像動作を繰り返し行わなければならなかった。
【０００３】
これに対し、任意に決定する合焦点位置から任意距離に自動的に合焦点位置を移動し、上記合焦点位置及び上記合焦点位置から任意距離の被写体を連続撮像し、複数の撮像画像を得るカメラの技術が提案されている（特許文献１参照）。
【０００４】
また、撮像画面内の複数点の測距結果から主要被写体の位置を検出し、周辺に位置する主要被写体に対して焦点を合わせる技術も提案されている（特許文献２参照）。
【特許文献１】特開平７−１３１６９８号公報
【特許文献２】特開２００４−１５１２２４公報
【発明の開示】
【発明が解決しようとする課題】
【０００５】
しかしながら、前記特許文献１に記載される技術は、一律に、同一の撮像画面にて焦点位置を異ならせて連続撮像をする。従って、複数の撮像画像を得ることはできるが、不要な撮像画像が生じる場合がある。
【０００６】
また、撮像を所望する被写体が、同一の撮像画面内の異なる場所に位置している場合には、前記特許文献２に記載されるような、１つの被写体にのみ焦点を合わせた撮像を行う技術は適当でない。
【０００７】
本発明は、上記事実を考慮し、余分な撮像画像を撮像することを抑制しつつ、所望する被写体に合焦した画像を得ることのできる撮像装置を提供することを目的とする。
【課題を解決するための手段】
【０００８】
上記目的を達成するために、本発明は、被写体を撮像するための撮像レンズを含み、該撮像レンズにより被写体に合焦する合焦手段と、前記撮像レンズにより設定される撮像画面内の複数領域の各々に対応する被写体までの距離を測定する測距手段と、前記測距手段で測定した複数の距離に基づいて前記撮像画面内の複数領域の各々に対応する被写体の中から主要被写体を少なくとも１つ設定する設定手段と、前記撮像画面の中央部の被写体に合焦して撮像画像を得る撮像制御を行うとともに、前記主要被写体が前記撮像画面の周辺部に設定された場合に該主要被写体に合焦して撮像画像を得る撮像制御を更に行う制御手段と、を備えることを特徴とする。
【０００９】
本発明によれば、測距手段が、前記撮像レンズにより設定される撮像画面内の複数領域の各々に対応する被写体までの距離を測定し、設定手段が、前記測距手段で測定した複数の距離に基づいて前記撮像画面内の複数領域の各々に対応する被写体の中から主要被写体を少なくとも１つ設定する。被写体を撮像する場合、被写体までの距離が短い被写体ほど主要な被写体である可能性が高い。そこで、被写体までの距離が予め定めた所定距離（例えば最短距離）やその所定距離に対して一定範囲内の距離に含まれる被写体を、主要被写体に設定する。
【００１０】
そして、制御手段が、前記撮像画面の中央部の被写体に合焦して撮像画像を得る撮像制御を行うとともに、前記主要被写体が前記撮像画面の周辺部に設定された場合に該主要被写体に合焦して撮像画像を得る撮像制御を更に行う。即ち、主要被写体が撮像画面の中央部に設定された場合は、１度の合焦撮像が行われ、主要被写体が撮像画面の周辺部に設定された場合は、少なくとも２度の合焦撮像が行われるよう制御される。ここで、前記合焦は、被写体を撮像するための撮像レンズを含む合焦手段が、該撮像レンズにより行われている。
【００１１】
こうして、本発明は、余分な撮像画像が撮像されることを抑制しつつ、所望する被写体に合焦した画像を得ることができる。
【００１２】
また、本発明においては、１度の撮像指示により複数の撮像画像を得ることを指定する指定手段を更に備え、前記制御手段は、前記指定手段で指定された場合のみ前記撮像画面の周辺部に設定された主要被写体に合焦して撮像画像を得る撮像制御を更に行ってもよい。
【００１３】
本発明によれば、指定手段により複数の撮像画像を得ることを指定した場合のみ、撮像画面の周辺部に設定された主要被写体の撮像画像を得ることができ、複数の撮像画像を得ることを撮像者が選択することができる。
【００１４】
また、本発明においては、前記設定手段は、前記被写体が人物か否かを判定する判定手段を含み、前記判定手段で人物と判定された被写体を主要被写体に設定してもよい。
【００１５】
一般的に、主要被写体は人物となる可能性が高い。そこで、本発明では、判定手段により被写体が人物か否かを判定し、人物と判定された被写体を主要被写体に設定する。判定手段は、予め判定用の撮像画像を取得する取得手段を含み、取得した撮像画像からパターンマッチング等の形状判定処理を用い、人物を判定することができる。これによって、効率よく所望の撮像画像を入手することが可能となる。
【００１６】
また、本発明においては、当該撮像装置の姿勢を検出する検出手段を更に備え、前記制御手段は、前記検出手段により鳥瞰撮像の姿勢として予め定めた所定角度が検出された場合にのみ前記撮像画面の周辺部の被写体に合焦して撮像画像を得る撮像制御を更に行ってもよい。
【００１７】
撮像者と撮像を所望する被写体との間に、撮像者の視線を遮るものがある場合には、撮像者は、撮像装置を撮像者の視線の高さより高い位置に掲げ、鳥瞰撮像を行うことが考えられる。このような場合には、ＬＣＤ、ファインダ等の確認手段により、被写体の確認が困難な場合がある。そこで、本発明では、検出手段によって、鳥瞰撮像の姿勢として予め定めた所定角度が検出された場合にのみ、撮像画面の周辺部の被写体に合焦した撮像画像を得る。従って、撮像者が意図する被写体が撮像画面内の何れの位置、即ち中央部や周辺部の何れにあっても、その被写体に合焦した撮像画像を確実に得ることができる。
【００１８】
この場合、マクロ撮像による撮像画像を得ることを規定する規定手段を更に備え、前記制御手段は、前記規定手段でマクロ撮像による撮像画像を得ることが規定された場合に前記撮像制御を更に行うことを禁止してもよい。
【００１９】
マクロ撮像は、近接撮像が好適であるため、虫や花等の小形物の撮像に利用されることが多い。この撮像時には、撮像装置の姿勢は鳥瞰撮像となる場合が多い。しかし、該マクロ撮像の場合は、撮像者は、撮像画面を確認してから撮像を行うため、主要被写体ではない撮像画面の周辺部の被写体を合焦撮像する必要がない場合が殆どである。
【００２０】
従って、制御手段が備える規定手段が、マクロ撮像による撮像画像を得ることを規定された場合に、撮像制御を更に行うことを禁止することによって、余分な撮像画像を得ることを抑制することができる。
【発明の効果】
【００２１】
以上説明したように、本発明は、余分な撮像画像を撮像することを抑制しつつ、所望する被写体に合焦した画像を得ることのできる撮像装置を提供するという優れた効果を有する。
【発明を実施するための最良の形態】
【００２２】
以下、図面を参照して、本発明の実施形態について詳細に説明する。
【００２３】
近年は、デジタル画像データのデータ処理能力の向上に伴い、撮像後に加工処理が簡単にできるようになってきている。しかし、焦点が合っていない被写体像の画像データを後処理により改善することは困難である。従って、撮像後に処理加工するよりも、合焦して撮像することが望ましい。
【００２４】
また、同一の撮像画面にて複数の合焦撮像が可能であれば、撮像後に、画像データを単一の画像に処理することも可能である。このことからも、同一の撮像画面にて、焦点位置を異ならせた複数回の撮像を行うことは有効である。
【００２５】
そこで、本実施形態では、撮像画面内の被写体が複数存在する場合、複数の被写体の各々について、合焦後に撮像することを、選択的に可能とするものである。
【００２６】
まず、図１を参照して、本実施形態に係るデジタルカメラ（以下、単に「カメラ」という）１０の外観上の構成を説明する。
【００２７】
カメラ１０の正面には、被写体像を結像させるためのレンズ１１と、撮像時に必要に応じて被写体に照射する光（撮像補助光）を発する発光部１４と、撮像する被写体の構図を決定するために用いられるファインダ１６と、が備えられている。また、カメラ１０の上面には、撮像を実行する際に押圧操作されるレリーズボタン（所謂シャッター）１８Ａと、電源スイッチ１８Ｂと、モード切替スイッチ１８Ｃと、が備えられている。
【００２８】
なお、本実施形態に係るカメラ１０のレリーズボタン１８Ａは、中間位置まで押下される状態（以下、「半押し状態」という）と、当該中間位置を超えた最終押下位置まで押下される状態（以下、「全押し状態」という）と、の２段階の押圧操作が検出可能に構成されている。
【００２９】
そして、カメラ１０では、レリーズボタン１８Ａを半押し状態にすることによりＡＥ（Automatic Exposure、自動露出）機能が働いて露出状態（シャッタースピード、絞りの状態）が設定された後、オートフォーカス（ＡＦ）機能が働いて合焦制御され、その後、引き続き全押し状態にすると露光（撮像）が行われる。
【００３０】
また、モード切替スイッチ１８Ｃは、被写体に接近した状態で撮像するモードであるマクロ撮像モード、静止画像の撮像を行うモードである静止画撮像モード、動画像の撮像を行うモードである動画撮像モード、及び被写体像を後述するＬＣＤ２０に再生するモードである再生モードの何れかのモードに設定する際に回転操作される。
【００３１】
一方、カメラ１０の背面には、前述のファインダ１６の接眼部と、撮像された被写体像やメニュー画面等を表示するための液晶ディスプレイ（以下、「ＬＣＤ」という）２０と、十字カーソルボタン１８Ｄと、が備えられている。なお、十字カーソルボタン１８Ｄは、ＬＣＤ２０の表示領域における上・下・左・右の４方向の移動方向を示す４つの矢印ボタンを含んで構成されている。
【００３２】
さらに、カメラ１０の背面には、ＬＣＤ２０にメニュー画面を表示させるときに押圧操作されるメニューボタンと、それまでの操作内容を確定するときに押圧操作される決定ボタンと、直前の操作内容をキャンセルするときに押圧操作されるキャンセルボタンと、発光部１４の発光状態を設定するときに押圧操作される発光ボタンと、が備えられている。
【００３３】
一方、カメラ１０の上面には、シャッター回数に応じた撮像（以下、「通常撮像」という）を行うか、１度のシャッターにより、同一の、前記レンズ１１により設定される撮像画面（以下、単に「撮像画面」という）にて、複数回の連続撮像を行うか否かを選択するための選択スイッチボタン（以下、「選択ＳＷ」という）２２が備えられている。
【００３４】
さらに、カメラ１０の正面には、撮像画面内の被写体までの距離を検出する測距センサ２４が備えられている。測距センサ２４としては、ＴＯＦ式、位相差式、及び三角測量式等の光を用いる方式でもよいし、赤外線を用いる方式でもよく、測距可能であるならば、本実施形態においては方式は限らない。
【００３５】
次に、図２を参照して、本実施形態に係るカメラ１０の電気系の要部構成を説明する。
【００３６】
カメラ１０は、前述のレンズ１１を含んで構成された光学ユニット１２と、レンズ１１の光軸後方に配設された電荷結合素子（以下、「ＣＣＤ」という）２６と、入力されたアナログ信号に対して各種のアナログ信号処理を行うアナログ信号処理部２８と、を含んで構成されている。
【００３７】
また、カメラ１０は、入力されたアナログ信号をデジタルデータに変換するアナログ／デジタル変換器（以下、「ＡＤＣ」という）３０と、入力されたデジタルデータに対して各種のデジタル信号処理を行うデジタル信号処理部３２と、を含んで構成されている。
【００３８】
なお、デジタル信号処理部３２は、所定容量のラインバッファを内蔵し、入力されたデジタルデータを後述するメモリ４４の所定領域に直接記憶させる制御も行う。
【００３９】
ＣＣＤ２６の出力端はアナログ信号処理部２８の入力端に、アナログ信号処理部２８の出力端はＡＤＣ３０の入力端に、ＡＤＣ３０の出力端はデジタル信号処理部３２の入力端に、各々接続されている。従って、ＣＣＤ２６から出力された被写体像を示すアナログ信号はアナログ信号処理部２８によって所定のアナログ信号処理が施され、ＡＤＣ３０によってデジタル画像データに変換された後にデジタル信号処理部３２に入力される。
【００４０】
さらに、カメラ１０は、前述の測距センサ２４と接続し、測距センサ２４の検出により当該カメラ１０から撮像画面内の被写体の各位置までの距離を演算する測距演算部５２と接続している。
【００４１】
前記測距演算部５２は、撮像画面内の被写体のうち、当該カメラ１０から最も近く、且つ人物である被写体を、主要被写体に設定する被写体設定部５４と接続している。前記被写体設定部５４は、主要被写体が、撮像画面の中央部にあるのか、もしくは周辺部にあるのかを判断するようになっている。そして、前記被写体設定部５４は、後述のＣＰＵ４０に、主要被写体が撮像画面の中央部にあるのか、もしくは周辺部にあるのかの判断結果を出力するようになっている。
【００４２】
なお、被写体設定部５４は、被写体が人物であるときに主要被写体と設定することができる。この場合、ＣＰＵ４０は被写体判断用として、撮像系により事前に撮像画像を取得するべく、撮像系を制御する。この取得は、本発明の取得手段の機能に対応する。取得した撮像画像について、被写体設定部５４は、パターンマッチング等の形状判定を行い、人物を判定する。なお、パターンマッチング等の形状判定処理は、被写体設定部５４内に画像処理部を設けて処理してもよく、デジタル信号処理部３２で処理させてその結果を用いてもよい。
【００４３】
また、カメラ１０は、当該カメラ１０の角度を検出する角度センサ５６を備えている。本実施形態では、角度センサ５６として、図３（Ａ）に示されるような、Ｘ、Ｙ、Ｚの３軸における加速度を検出する３軸加速度センサが用いられている。当該３軸加速度センサは、図３（Ｂ）に示されるように、抵抗回路３Ａが配置された変位部３Ｂ、及び重錘３Ｃ等で形成されており、該抵抗回路３Ａは、該変位部３Ｂが、変形によって生じる応力により抵抗値を変化させる。そして、３軸加速度センサは、Ｘ、Ｙ、Ｚ各々の方向に形成される抵抗回路３Ａにより、各軸において受ける応力を抵抗比で電気信号の変化を検出するようになっており、角度が検出できるようになっている。なお、図３（Ｂ）には、矢印ＦＸで示されるように、Ｘ方向に傾いている場合の３軸加速度センサが示されている。また、図３（Ｃ）には、矢印ＦＺで示されるように、Ｚ方向に傾いている場合の３軸加速度センサが示されている。
【００４４】
当該角度センサ５６は、角度センサ５６の検出に基づき当該カメラ１０の角度を演算する角度演算部５８と接続している。そして、前記角度演算部５８は、当該カメラ１０において行われている撮像が鳥瞰撮像か否かを判断する姿勢判断部６０と接続している。該姿勢判断部６０は、前記角度演算部５８が演算したカメラ１０の角度がカメラ１０の光軸が水平方向から下方へ向かう回転方向で予め定められた所定角度の場合は、当該撮像時のカメラ１０の姿勢が鳥瞰撮像の姿勢であると判断するようになっている。そして、該姿勢判断部６０は、後述のＣＰＵ４０に、鳥瞰撮像か否かの判断結果を出力するようになっている。
【００４５】
一方、カメラ１０は、被写体像やメニュー画面等をＬＣＤ２０に表示させるための信号を生成してＬＣＤ２０に供給するＬＣＤインタフェース３８と、カメラ１０全体の動作を司るＣＰＵ（中央処理装置）４０と、撮像により得られたデジタル画像データ等を記憶するメモリ４４と、メモリ４４に対するアクセスの制御を行うメモリインタフェース４２と、を含んで構成されている。
【００４６】
さらに、カメラ１０は、可搬型のメモリカード４８をカメラ１０でアクセス可能とするための外部メモリインタフェース４６と、デジタル画像データに対する圧縮処理及び伸張処理を行う圧縮・伸張処理回路５０と、を含んで構成されている。
【００４７】
なお、本実施形態のカメラ１０では、メモリ４４としてフラッシュ・メモリ（Flash Memory）が用いられ、メモリカード４８としてスマートメディア（Smart Media（登録商標））が用いられている。
【００４８】
デジタル信号処理部３２、ＬＣＤインタフェース３８、ＣＰＵ４０、メモリインタフェース４２、外部メモリインタフェース４６及び圧縮・伸張処理回路５０はシステムバスＢＵＳを介して相互に接続されている。従って、ＣＰＵ４０は、デジタル信号処理部３２及び圧縮・伸張処理回路５０の作動の制御、ＬＣＤ２０に対するＬＣＤインタフェース３８を介した各種情報の表示、メモリ４４及びメモリカード４８へのメモリインタフェース４２ないし外部メモリインタフェース４６を介したアクセスを各々行うことができる。
【００４９】
一方、カメラ１０には、主としてＣＣＤ２６を駆動させるためのタイミング信号を生成してＣＣＤ２６に供給するタイミングジェネレータ３４が備えられており、ＣＣＤ２６の駆動はＣＰＵ４０によりタイミングジェネレータ３４を介して制御される。
【００５０】
さらに、カメラ１０にはモータ駆動部３６が備えられており、光学ユニット１２に備えられた焦点調整モータ、ズームモータ及び絞り駆動モータの駆動もＣＰＵ４０によりモータ駆動部３６を介して制御される。
【００５１】
本実施形態に係るレンズ１１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３６から供給された駆動信号によって駆動される。
【００５２】
また、ＣＰＵ４０は被写体設定部５４の設定に基づき、主要被写体が撮像画面内の周辺部にある場合は、モータ駆動部３６を制御して主要被写体に合焦させるようになっている。
【００５３】
さらに、姿勢判断部６０において鳥瞰撮像であると判断した場合は、主要被写体が撮像画面内の中央部にある場合であっても、モータ駆動部３６を制御して、撮像画面内の被写体がそれぞれ合焦撮像されるようになっている。
【００５４】
さらに、前述のレリーズボタン１８Ａ、電源スイッチ１８Ｂ、モード切替スイッチ１８Ｃ、十字カーソルボタン１８Ｄ、メニューボタン等の各種ボタン、スイッチ類（以下、「操作部１８」と総称する場合がある）はＣＰＵ４０に接続されており、ＣＰＵ４０は、これらの操作部１８に対する操作状態を常時把握できる。また、前述した発光部１４もＣＰＵ４０に接続されており、発光部１４による撮像補助光の発光もＣＰＵ４０によって制御される。
【００５５】
そして、さらに、前述の選択ＳＷ２２もＣＰＵ４０に接続されており、ＣＰＵ４０は、当該選択ＳＷ２２への操作状態を常時把握できるようになっている。
【００５６】
なお、ＳＷ２２がＯＮ状態での撮像（複数回撮像）をした後に、ＬＣＤ２０に、該撮像された複数枚の画像を表示させ、記録するか否かの判断をさせる機構があってもよい。
【００５７】
次に、本実施形態の作用を図４のフローチャートに従い説明する。
【００５８】
例えば、撮像がスナップショットの場合は、被写体は人物であったり、背景、風景であったりする。このような場合、撮像者は、選択ＳＷ２２をＯＮに設定する。まず、選択ＳＷ２２がＯＮに設定された場合を説明する。
【００５９】
ステップ１００では、選択ＳＷ２２がＯＮかＯＦＦかが判断され、肯定されるとステップ１０２へ移行し、否定されるとステップ１１４へ移行する。ここでは、選択ＳＷ２２がＯＮに設定されているため、ステップ１０２へ移行する。
【００６０】
ステップ１０２では、姿勢判断部６０によりカメラ１０の姿勢が検出され、次のステップ１０４において、当該撮像が鳥瞰撮像か否か、即ち、前記ステップ１０２で検出されたカメラ１０の傾きが所定角度であるか否かが判断される。鳥瞰撮像である場合には、ステップ１０４で肯定されてステップ１１６へ移行し、ステップ１０４で否定されると、ステップ１０６へ移行する。
【００６１】
ステップ１０６では、測距センサ２４及び測距演算部５２による撮像画面内の各被写体までの距離が測定される。次のステップ１０８では、被写体設定部５４にて、カメラ１０から最も短い距離に位置する被写体が主要被写体に設定される。なお、主要被写体の設定は、カメラ１０から最短距離の被写体に限定されない。例えば、予め定めた距離の被写体でもよく、人物でもよい。次に、ステップ１１０では、前記主要被写体が、撮像画面の中央部にあるか否かが判断され、撮像画面の中央部にない場合、否定され、ステップ１１２へ移行し、肯定されるとステップ１１４へ移行する。
【００６２】
ステップ１１２では、撮像画面の中央部にある被写体を除いた各々の被写体に対する合焦撮像が行われる。次のステップ１１４では、撮像画面の中央部にある被写体の合焦撮像が行われる。
【００６３】
ここで、主要被写体が撮像画面の中央部に設定されない構図の例を示す。
【００６４】
図５（Ａ）に示されているのは、セールスマン５Ａ１が、新車５Ａ２の紹介を行っている様子を示す構図である。セールスマン５Ａ１は、新車５Ａ２よりもカメラ１０側に立っている。即ち、セールスマン５Ａ１は、新車５Ａ２よりもカメラ１０との距離が短い。そして、新車５Ａ２が、撮像画面内の中央部にあるするように位置決めされている。
【００６５】
図５（Ｂ）には、図５（Ａ）の構図における、カメラ１０から各被写体までの距離概念が示されている。矢印の方向にカメラ１０からの距離は長くなり、矢印５Ｂで示される位置が撮像画面の中央部である。従って、セールスマン５Ａ１は、矢印５Ｂで示された新車５Ａ２よりも該矢印の上流側に位置する。
【００６６】
該構図では、カメラ１０から最も近い距離にある人物の被写体がセールスマン５Ａ１であることから、主要被写体は、セールスマン５Ａ１に設定される。そして、該主要被写体は、撮像画面内の中央部にない。従って、図５（Ａ）に示されるような構図の場合は、主要被写体となるセールスマン５Ａ１の合焦撮像、及び撮像画面内の中央部に位置決めされた新車５Ａ２の合焦撮像のそれぞれが行われる。
【００６７】
次に、選択ＳＷがＯＦＦに設定された場合は、上記ステップ１００で否定され、ステップ１１４へ移行する。例えば撮像者がポートレート撮像を意図する場合は、被写体は人物単体であるので、複数回撮像は不要である。従って、選択ＳＷ２２がＯＦＦに設定されることで、撮像画面の中央部の被写体の撮像のみが行われ、周辺部の被写体が合焦撮像されることはない。
【００６８】
次に、鳥瞰撮像について説明する。鳥瞰撮像の場合、上記ステップ１０４で肯定され、ステップ１１６へ移行する。ステップ１１６では、ＣＰＵ４０によりマクロ撮像モードであるか否かが判断され、否定されると、ステップ１１２へ移行し、肯定されるとステップ１１４へ移行する。
【００６９】
図６には、マクロ撮像ではなく、鳥瞰撮像をしている様子が示されている。ここで、撮像を所望する被写体は人物６Ａである。しかし、人垣６Ｂ１、６Ｂ２に遮られ、ファインダ１６、又はＬＣＤ２０による構図の確認ができず、人物６Ａを中心とした構図を決定できない状況である。このような状況では、図６に示されるように、撮像者６Ｃは、カメラ１０を掲げる体勢となり、ファインダ１６、又はＬＣＤ２０による構図決定が困難である。従って、このような撮像では、人物６Ａを撮像画面の中央部に位置させる構図で撮像することが困難である。
【００７０】
従って、中央部を含め周辺部の被写体に対する撮像画像を得ることが望まれる。
【００７１】
一方、カメラ１０の傾きが所定角度以上である場合であったとしても、モード切替スイッチ１８Ｃが、マクロ撮像モードに設定された撮像、例えば、開花している花を接近した状態で撮像する場合は、撮像画面の中心部（即ち、開花している花）の合焦撮像のみが行われればよく、撮像画面の周辺部で合焦撮像する必要はない。
【００７２】
そこで、本実施形態では、姿勢判断部６０の判断により、鳥瞰撮像であることが判断され、且つ、ＣＰＵ４０の判断により、マクロ撮像モードではないと判断されたときに、撮像画面内の被写体の合焦撮像が行われる。
【００７３】
次に、主要被写体が撮像画面の中央部に設定された構図の例を示す。
【００７４】
図７（Ａ）に示されているのは、演説者７Ａ１が演説する様子を示す構図である。該構図では、演説者７Ａ１は、撮像画面内の中央部に位置している。また、該演説者７Ａ１の後方には、上空を飛ぶ飛行機７Ａ２があり、該飛行機７Ａ２も同一の撮像画面内に収まっている。
【００７５】
図７（Ｂ）には、図７（Ａ）の構図における、カメラ１０から各被写体までの距離概念が示されている。矢印の方向にカメラ１０からの距離は長くなり、矢印７Ｂで示される位置が撮像画面の中央部である。従って飛行機７Ａ２は、矢印７Ｂで示された演説者７Ａ１よりも該矢印の下流側に位置する。
【００７６】
該構図では、カメラ１０から最も近い距離にある人物の被写体が演説者７Ａ１であることから、主要被写体は、演説者７Ａ１に設定される。そして、該主要被写体は、撮像画面の中央部に位置決めされている。従って、図７（Ａ）に示されるような構図の場合は、演説者７Ａ１の合焦撮像のみが行われる。
【００７７】
次に、主要被写体が撮像画面の中央部に設定されず、周辺部に被写体が複数ある構図の例を示す。
【００７８】
図８（Ａ）に示されているのは、落語家８Ａ３の落語公演を観客８Ａ１が鑑賞する様子を示す構図である。該構図では、撮像画面の中央部には、落語家８Ａ３が座る舞台８Ａ２が位置決めされている。
【００７９】
図８（Ｂ）には、図８（Ａ）の構図における、カメラ１０から各被写体までの距離概念が示されている。矢印の方向にカメラ１０からの距離は長くなり、矢印８Ｂで示される位置が撮像画面の中央部となる距離である。従って観客８Ａ１は、矢印８Ｂで示された舞台８Ａ２よりも該矢印の上流側に位置し、落語家８Ａ３は、舞台８Ａ２よりも該矢印の上流側に位置する。
【００８０】
該構図では、カメラ１０から最も近い距離にある人物の被写体が観客８Ａ１であることから、主要被写体は、観客８Ａ１に設定される。そして、該主要被写体は、撮像画面の中央部にない。従って、図８（Ａ）に示されるような構図の場合は、観客８Ａ１の合焦撮像、撮像画面の中央部に位置決めされた舞台８Ａ２の合焦撮像、及び落語家８Ａ３の合焦撮像が行われる。なお、舞台８Ａ２に合焦させたときに、落語家８Ａ３が該合焦の被写体深度を超える距離に位置しない場合は、観客８Ａ１の合焦撮像、及び舞台８Ａ２の合焦撮像の２度の合焦撮像が行われる。
【００８１】
前述の説明の通り、主要被写体が撮像画面の中央部に位置決めされない場合は、撮像画面内の各々の被写体の合焦撮像が行われる。但し、該合焦撮像は、各々の被写体毎に行われるとは限らない。ある被写体に合焦したときの被写体深度を超えない距離の他の被写体は、該被写体と一緒に合焦撮像される。
【００８２】
このように、矢印の最上流に位置する被写体が人物であり、かつ撮像画面の中央部にある場合には、該被写体に合焦された撮像が１度のみ行われる。そして、該被写体が撮像画面の中央部にない場合には、全ての被写体の合焦撮像が行われる。
【００８３】
以上の説明のように、本実施形態では、人物等の主要被写体が撮像画面の周辺部に存在する場合に、中央部に存在する被写体について合焦して撮像し、さらに、周辺部の主要被写体について合焦して撮像する。従って、撮像者が意図することが予想される被写体に合焦された撮像画像を確実に得ることができる。
【００８４】
また、上記複数の撮像画像を得ることを、選択ＳＷ２２によって選択することができるので、複数の撮像画像を得ることを望まない撮像者に対して、選択することの自由度を提供することができる。
【００８５】
さらに、鳥瞰撮像のように、撮像者が撮像画面の確認が困難な場合には、撮像画面の周辺部の被写体に合焦して撮像することができるので、所謂シャッターチャンスを逃すことなく、撮像者が意図することが予測される被写体に合焦された撮像画像を確実に得ることができる。
【図面の簡単な説明】
【００８６】
【図１】本実施形態に係るデジタルカメラの外観を示す外観図である。
【図２】本実施形態に係るデジタルカメラの電気系の要部構成を示すブロック図である。
【図３】（Ａ）は３軸加速度センサの３軸を表し、（Ｂ）はＸ方向に傾いている場合の説明図であり、（Ｃ）はＺ方向に傾いている場合の説明図である。
【図４】本実施形態に係るデジタルカメラにおける処理の流れを示すフローチャートである。
【図５】（Ａ）は主要被写体が撮像画面の周辺部にある場合を示し、（Ｂ）は（Ａ）の構図におけるカメラとの距離感を表す。
【図６】鳥瞰撮像の様子を表す。
【図７】（Ａ）は主要被写体が撮像画面の中央部にある場合を示し、（Ｂ）は（Ａ）の構図におけるカメラとの距離感を表す。
【図８】（Ａ）は３以上の被写体が撮像画面内にある場合を示し、（Ｂ）は（Ａ）の構図におけるカメラとの距離感を表す。
【符号の説明】
【００８７】
１０  デジタルカメラ（撮像装置）
１１  レンズ（撮像レンズ）
１２  光学ユニット（合焦手段）
１６  ファインダ
１８Ｃ  モード切替スイッチ（規定手段）
２０  ＬＣＤ
２２  選択スイッチボタン（指定手段）
２４  測距センサ（測距手段）
２６  ＣＣＤ
２８  アナログ信号処理部
３２  デジタル信号処理部
３４  タイミングジェネレータ
３６  モータ駆動部
４０  ＣＰＵ（制御手段）
５０  圧縮・伸張処理回路
５２  測距演算部（測距手段）
５４  被写体設定部（設定手段）
５６  角度センサ（検出手段）
５８  角度演算部（検出手段）
６０  姿勢判断部（制御手段）
【図１】
2006310979.tif 000003
【図２】
2006310979.tif 000004
【図３】
2006310979.tif 000005
【図４】
2006310979.tif 000006
【図５】
2006310979.tif 000007
【図６】
2006310979.tif 000008
【図７】
2006310979.tif 000009
【図８】
2006310979.tif 000010